(57)【特許請求の範囲】
【請求項１】
パイプ状部材である第１竿体及び第２竿体を嵌合するための構造であって、
第１竿体の一端に設けられ、周面に孔部を有する嵌合雄部と、
第２竿体の一端に設けられ、前記嵌合雄部が挿入される嵌号雌部と、
を備え、
前記孔部は、半径方向に貫通している、
釣竿の嵌合構造。
【請求項２】
前記嵌合雄部の孔部は複数設けられている、請求項１に記載の竿体の嵌合構造。
【請求項３】
請求項１又は２に記載の嵌合構造を有する複数の竿体を備えた並継ぎ竿。
【発明の詳細な説明】
【０００１】
【発明の属する技術分野】
本発明は、釣竿の嵌合構造、特に、パイプ状の複数の竿体を勘合するための嵌合構造及びこの嵌合構造を備えた釣竿に関する。
【０００２】
【従来の技術】
従来の継竿、例えば並継ぎ竿は、複数の筒状の竿体を連結してなるものであり、例えば、第１竿体及び第２竿体の２つの竿体を有している。そして、第１竿体の一端には嵌合雄部が、第２竿体の一端には嵌合雌部がそれぞれ設けられ、第１竿体の嵌合雄部を第２竿体の嵌合雌部にはめ込んで連結して１本の竿体として使用される。また従来の振り出し竿も、複数の竿体を連結してなるものであり、例えば、最も手元側に配置される第１竿体と、第１竿体の内部に軸方向に挿入され収納可能な第２竿体と、第２竿体の内部に軸方向に挿入され収納可能な第３竿体とを有している。そして、細い竿体である第３竿体から順次引き出して固定し、１本の竿体として使用される。
【０００３】
【発明が解決しようとする課題】
従来の並継ぎ竿の嵌合部はテーパ形状でかつ円筒状の嵌合雄部を筒状の嵌合雌部に挿入し固定するものであり、嵌合雄部と嵌合雌部とは面接触している。釣りを行う際においては竿体は濡れた手で取り扱われることも多く、またこの嵌合部が汚れてしまう場合もある。このため嵌合部の接触面に水等が侵入し強固に嵌合してしまい、取り外しが困難な場合がある。
【０００４】
さらに、嵌合部は第１竿体と第２竿体とが２重に重なっている部分であり、他の部分に比べて竿体の肉厚が厚くなっている部分である。このため、嵌合部と嵌合部以外の部分とで竿体の剛性は急激に変化しており、ユーザが魚を釣り上げようとして竿体に力をかけた場合、特に嵌合部の前後に力が集中的にかかってしまい嵌合部の前後を破損する場合があった。
【０００５】
本発明の解決しようとする課題は、強固に固着してしまうことを防止して取り外しが容易になる嵌合構造及びそれを有する釣竿を提供することにある。
【０００６】
また本発明の別の課題は、嵌合部前後で破損しにくい嵌合構造及びそれを有する釣竿を提供することにある。
【０００７】
【課題を解決するための手段】
発明１にかかる嵌合構造は、パイプ状部材である第１竿体及び第２竿体を嵌合するための構造であって、第１竿体の一端に設けられ周面に孔部を有する嵌合雄部と、第２竿体の一端に設けられ前記嵌合雄部が挿入される嵌号雌部とを備えている。そして、孔部は半径方向に貫通している。
【０００８】
この場合には、嵌合雄部の周面に設けられた孔部によって嵌合雄部と嵌合雌部との接触面積が少なくなる。この結果、水，ほこり等が嵌合部に侵入した場合であっても嵌合部が固着することなく、第１竿体と第２竿体とを容易に取り外すことができる。また、第１竿体と第２竿体とが嵌合された部分の剛性が低くなるので、嵌合部と嵌合部前後の剛性の急激な変化を抑えることができ、嵌合部前後に急激な力が加わって破損するのを抑えることができる。さらに、竿全体の軽量化を図ることもできる。
【０００９】
また、嵌合雄部に設けられた孔部が第１竿体の内部の空洞まで半径方向に貫通しているので、水，ほこり等が孔に侵入して溜まってしまうことがなくなり、より効果的に嵌合部の固着が抑えられ、また、嵌合部前後での剛性の変化が抑えられる。
【００１０】
発明２にかかる嵌合構造は、発明１の嵌合構造であって、嵌合雄部の孔部は複数設けられている。
【００１１】
この場合には、嵌合雄部に複数の孔部が設けられているので、より容易に取り外すことができる。また、嵌合部前後での剛性の変化をより効果的に抑えることができる。
【００１２】
発明３にかかる並継ぎ竿は、発明１または２の嵌合構造を有する複数の竿体を備えている。
【００１３】
【実施の形態】
［第１実施形態］
以下、本発明の第１実施形態について図面を参照しつつ説明する。
【００１４】
本発明の第１実施形態を採用した並継ぎ竿１００は、図１に示すように、第１竿体１と、第１竿体１の穂先側先端に連結された第２竿体２と、第２竿体２の穂先側先端に連結された第３竿体３と、第３竿体の穂先側先端に連結された第４竿体４とを有している。また、第１竿体１の手元側端部には竿元グリップ５が装着されている。さらに、第４竿体の穂先側先端にはライン２００を係止する係止部７が設けられている。
【００１５】
竿元グリップ５は、第１竿体１の竿尻にはめ込まれ、接着剤で接着された蓋付き円筒型部材であり、例えば、ウレタンゴム等のゴム系弾性体やアクティマー（商標）等のスチレンブロック共重合体系熱可塑性樹脂製の部材である。
【００１６】
第１竿体１ないし第４竿体４は先端が細いテーパ状の筒状部材である。図２及び図３に示すように、第１竿体１は穂先側端部に他の部分より小径に成形された第１嵌合雄部１０が設けられている。そして、第１嵌合雄部１０の外周面には、半径方向に第１竿体１内の空洞へ貫通している複数の円状孔１０ａが設けられている。一方、第２竿体２の竿元側端部は、内径が第１嵌合雄部１０の外径と一致しており、この部分が第１嵌合雌部１１となっている。
【００１７】
図４に示すように、第２竿体２は穂先側端部に他の部分より小径に形成された第２嵌合雄部２０が設けられており、第１嵌合雄部１０と同様に、外周面には、半径方向に第２竿体２内の空洞へ貫通している複数の孔２０ａが設けられている。さらに第３竿体３の竿元側端部は、内径が第２嵌合雄部２０の外径と一致しており、この部分が第２嵌合雌部２１となっている。
【００１８】
なお、第３竿体３の穂先側先端と第４竿体の竿元側先端にも、上記第１，第２嵌合雄部及び雌部と同様に、第３嵌合雄部（図示せず）と第３嵌合雌部（図示せず）とがそれぞれ設けられている。
【００１９】
これら第１竿体１ないし第４竿体４は、周知の製造方法を用いて製造することができる。例えば、心材となるマンドレルの外周に離型材を塗布して、嵌合雌部成形する部分に嵌合雌部成型用テープを巻回する。そして、マンドレル及び嵌合雌部成型用テープの外周に炭素繊維の強化繊維に樹脂を含浸させたシート状のプリプレグを巻回する。このとき嵌合雄部を成形する部分では、所定の外周径となるようにプリプレグの巻回量を調整する。このようにして得た部材を焼成し、マンドレル，テープを順次剥離し、第１竿体１ないし第４竿体４をそれぞれ製造する。
【００２０】
このように構成された並継ぎ竿１では、第１，第２，第３嵌合雄部に孔が設けられているので、嵌合部の接着面積を減少させて嵌合部の固着を抑えることができる。また、例えば、第１嵌合雄部１０と第１嵌合雌部１１との嵌合部においては、剛性が低くなるので、剛性の部分的な変化が抑制される。
【００２１】
［第２実施形態］
以下、本発明の第２実施形態について図面を参照しつつ説明する。
【００２２】
本発明の第２実施形態を採用した振り出し竿５００は、図５に示すように、第１竿体５０１と、第１竿体５０１の内部に穂先側から出没可能に収納されている第２竿体５０２と、第２竿体５０２の内部に穂先側から出没可能に収納されている第３竿体５０３と、第３竿体５０３の内部に穂先側から出没可能に収納されている第４竿体５０４とを有している。
【００２３】
第１竿体５０１ないし第４竿体５０４は先端がテーパ状の筒状部材である。そして、図６に示すように、第１竿体５０１には穂先側端部に他の部分より内周面が小径に成形された第１嵌合雌部５０が設けられている。一方、第２竿体５０２の竿元側端部は、外径が第１嵌合雌部５０の内径と一致するように他の部分より大径に成形されており、この部分が第１嵌合雄部５１となっている。この第１嵌合雄部５１の外周面には、半径方向に第２竿体５０２内の空洞へ貫通している複数の円状孔５１ａが設けられている。さらに、第２竿体５０２の穂先側端部には第２嵌合雌部（図示せず），第３竿体５０３の竿元側端部には第２嵌合雄部（図示せず），第３竿体５０３の穂先側端部には第３嵌合雌部（図示せず），第４竿体５０４の竿元側端部には第３嵌合雄部（図示せず）がそれぞれ設けられており、これらの各嵌合雄部と嵌合雌部とは第１嵌合雌部５０，第１嵌合雄部５１と同様の構造を有している。なお、その他の構成は第１実施形態と同様であり説明を省略する。
【００２４】
この振り出し竿５００は、釣竿を持ち運ぶ場合（以下、収納時という）には、穂先側の第４竿体５０４は第３竿体５０３内部へ、第３竿体５０３は第２竿体５０２内部へ、そして第２竿体５０２は第１竿体５０１内部へそれぞれ順次収納されており、コンパクトにまとめられている。一方、釣りを行う場合（以下、使用時という）には、第４竿体５０４から順次引き出して、各竿体に設けられた嵌合雌部に嵌合雄部を嵌め込んで固定して一本の竿体として使用する。
【００２５】
例えば、図７（ａ）に示すように、収納時の第２竿体５０２は第１竿体５０１内で竿元方向に押し込まれ収納されている。一そして使用する際に、図７（ｂ）に示すように、第２竿体５０２を第１竿体５０１内より穂先方向に引き出して、嵌合雄部５１を第１竿体５０１の穂先側端部の嵌合雌部５０に嵌め込んで固定する。この使用時においては、嵌合雄部５１の外径は嵌合雌部５０の内径と一致しており、十分に固定されている。
【００２６】
このように構成された第２実施形態にかかる振り出し竿５００では、第１実施形態と同様の作用効果を奏することができる。
【００２７】
［その他の実施形態］
（ａ）並継ぎ竿及び振り出し竿の竿体の数は４つに限定されるものではなく、竿の用途，長さに応じて任意の数の竿体を用いることができる。
【００２８】
（ｂ）嵌合雄部に設ける孔は、任意の数の孔を任意の箇所に設けることができる。
【００２９】
（ｃ）嵌合雄部に設ける項の形状は、円形に限定されるものではなく、例えば、四角形，波形等でもよい。
【００３０】
【発明の効果】
本発明にかかる嵌合構造によれば、水，ほこり等が侵入して嵌合部分が固着することを防止できるので、容易に取り外すことができる。また、嵌合部分での剛性の変化を抑えることができ、嵌合部分前後で竿体が破損することを防止できる。
【図面の簡単な説明】
【図１】  本発明の第１実施形態を採用した波継ぎ竿の全体図。
【図２】  図１の第１竿体と第２竿体との連結部分付近の拡大図。
【図３】  図２のIII−III断面図。
【図４】  第３竿体と第４竿体との連結部分付近の拡大図。
【図５】  本発明の第２実施形態を採用した振り出し竿の全体図。
【図６】  図５の第１竿体と第２竿体との連結部分の拡大断面図。
【図７】  図５の第１竿体と第２竿体との連結部分の収納時（ａ）及び使用時（ｂ）の断面図。
【符号の説明】
１，５０１  第１竿体
２，５０２  第２竿体
３，５０３  第３竿体
４，５０４  第４竿体
１０，５０  第１嵌合雄部
１１，５１  第１嵌合雌部
２０  第２嵌合雄部
２１  第２嵌合雌部
１０ａ，２０ａ，５１ａ  孔
【図１】
0003784133.tif 000002
【図２】
0003784133.tif 000003
【図３】
0003784133.tif 000004
【図４】
0003784133.tif 000005
【図５】
0003784133.tif 000006
【図６】
0003784133.tif 000007
【図７】
0003784133.tif 000008